(57)【要約】  複数層記録媒体、該記録媒体にデータを記録する方法及び装置を提供する。インナー領域、データ領域及びアウター領域をそれぞれ含む複数層記録媒体は、少なくとも前記インナー領域に割り当てられたテスト領域を有する第１層と、少なくとも前記インナー領域に割り当てられた管理領域を有する第２層とを含む。前記第１層のテスト領域は、入射ビームに対して前記第１層と隣接する第２層に割り当てられた管理領域と物理的に同じ位置に配置されない。
2009514127.tif 000002
【特許請求の範囲】
【請求項１】
インナー領域（ｉｎｎｅｒ  ａｒｅａ）、データ領域及びアウター領域（ｏｕｔｅｒ  ａｒｅａ）をそれぞれ含む複数層記録媒体であって、
少なくとも前記インナー領域に割り当てられたテスト領域を有する第１層と、
少なくとも前記インナー領域に割り当てられた管理領域を有する第２層と、
を備え、
前記第１層のテスト領域は、入射ビームに対して前記第１層に隣接する第２層に割り当てられた管理領域と物理的に同じ位置に配置されないこと
を特徴とする記録媒体。
【請求項２】
前記テスト領域は、最適パワー制御（ＯＰＣ）領域であることを特徴とする請求項１に記載の記録媒体。
【請求項３】
前記第２層は、テスト領域をさらに含み、前記第１層に割り当てられたテスト領域は、入射ビームに対して前記第２層のテスト領域と物理的に同じ位置に配置されないことを特徴とする請求項２に記載の記録媒体。
【請求項４】
前記管理領域は、１回のみ書込み可能な録媒体記録層の臨時ディスク管理領域（ＴＤＭＡ）であることを特徴とする請求項１に記載の記録媒体。
【請求項５】
各層に割り当てられた全てのＴＤＭＡは、入射ビームに対して物理的に同じ位置に配置されることを特徴とする請求項４に記載の記録媒体。
【請求項６】
第１層にデータを記録するための記録領域は、入射ビームに対して、テスト領域を含む第２層と物理的に同じ位置に配置されないことを特徴とする請求項１に記載の記録媒体。
【請求項７】
前記第１層の予備領域は、入射ビームに対して第２層のテスト領域と物理的に同じ位置に配置されることを特徴とする請求項１に記載の記録媒体。
【請求項８】
前記第１層のＰＩＣ（Ｐｅｒｍａｎｅｎｔ  Ｉｎｆｏｒｍａｔｉｏｎ  ＆  Ｃｏｎｔｒｏｌ  ｄａｔａ）領域は、入射ビームに対して前記第２層のテスト領域と物理的に同じ位置に配置されることを特徴とする請求項１に記載の記録媒体。
【請求項９】
前記第１層のバッファゾーンは、入射ビームに対して前記第２層のテスト領域と物理的に同じ位置に配置されることを特徴とする、請求項１に記載の記録媒体。
【請求項１０】
前記記録媒体は、１回のみ書込み可能なＢＤ−Ｒ（Ｂｌｕ−ｒａｙ  Ｄｉｓｃ  Ｒｅｃｏｒｄａｂｌｅ）であることを特徴とする請求項１に記載の記録媒体。
【請求項１１】
複数層記録媒体にデータを記録する方法であって、
ａ）第１層のテスト領域で記録パワーをテストし、最適記録パワーを決定する段階と、
ｂ）前記決定された最適記録パワーでデータを記録し、データ記録による制御情報を、前記第１層に隣接した第２層に割り当てられた管理領域に記録する段階と
を備え、
前記第１層のテスト領域は、入射ビームに対して前記第２層の管理領域と物理的に同じ位置に配置されないことを特徴とする方法。
【請求項１２】
前記テスト領域は、最適パワー制御（ＯＰＣ）領域であることを特徴とする請求項１１に記載の方法。
【請求項１３】
前記管理領域は、１回のみ書込み可能な記録層の臨時ディスク管理領域（ＴＤＭＡ）であることを特徴とする請求項１１に記載の方法。
【請求項１４】
記録媒体にデータを記録する装置であって、
前記記録媒体にデータを記録するピックアップ部と、
前記記録媒体に含まれた第１層のテスト領域で記録パワーをテストし、最適記録パワーを決定し、決定された最適記録パワーでデータを記録し、前記第１層に隣接する第２層に割り当てられた管理領域に前記データ記録に従って制御情報を記録する制御部と
を備え、
前記第１層のテスト領域は、入射ビームに対して第２層の管理領域と物理的に同じ位置に配置されないことを特徴とする装置。
【請求項１５】
前記テスト領域は、最適パワー制御（ＯＰＣ）領域であることを特徴とする請求項１４に記載の装置。
【請求項１６】
前記管理領域は、１回のみ書込み可能な記録層の臨時ディスク管理領域（ＴＤＭＡ）であることを特徴とする、請求項１４に記載の装置。
【発明の詳細な説明】
【技術分野】
【０００１】
本発明は、記録媒体に関し、詳細には、記録媒体の製造時に効率的に用いられる物理的構造と、該物理的構造を用いて記録媒体にデータを記録する方法及び装置に関する。
【背景技術】
【０００２】
一般に、大量のデータを記録できる記録媒体としてディスクが広く用いられてきた。特に、近年、高品質のビデオデータ及び高品質のオーディオデータを長期間記録／保存可能な高密度光記録媒体、例えば、ブルーレイディスク（ＢＤ）が開発された。
【０００３】
次世代記録媒体技術に基づいたＢＤは、従来のＤＶＤよりも多くのデータを保存できる次世代光記録ソリューションとされてきた。最近では、多くの開発者らが他のデジタル装置と共にＢＤと関連した国際標準技術仕様に対する集中的な研究を行っている。
【発明の開示】
【発明が解決しようとする課題】
【０００４】
しかしながら、ＢＤのための好ましい物理的構造及び物理的構造内に用いられる好ましいデータ管理方法が未だ確立されておらず、ＢＤ基盤光記録再生装置を開発するのに多くの制限及び問題があるのが現状である。
【課題を解決するための手段】
【０００５】
本発明の目的及び他の利点を達成するために、本発明の一形態によれば、インナー領域（ｉｎｎｅｒ  ａｒｅａ）、データ領域及びアウター領域（ｏｕｔｅｒ  ａｒｅａ）をそれぞれ含む複数層記録媒体において、少なくとも前記インナー領域に割り当てられたテスト領域を持つ第１層と、少なくとも前記インナー領域に割り当てられた管理領域を持つ第２層と、を含み、前記第１層のテスト領域は、入射ビームに対して前記第１層と隣接する第２層に割り当てられた管理領域と物理的に同じ位置に配置されない記録媒体が提供される。
【０００６】
本発明の他の形態によれば、複数層記録媒体にデータを記録する方法において、ａ）第１層のテスト領域で記録パワーをテストし、最適記録パワーを決定する段階と、ｂ）前記決定された最適記録パワーでデータを記録し、データ記録による制御情報を、前記第１層に隣接した第２層に割り当てられた管理領域に記録する段階と、を含み、前記第1領域のテスト領域は、入射ビームに対して前記第２層の管理領域と物理的に同じ位置に配置されない方法が提供される。
【０００７】
本発明のさらに他の形態によれば、記録媒体にデータを記録する装置において、前記記録媒体にデータを記録するピックアップ部と、前記記録媒体に含まれた第１層のテスト領域で記録パワーをテストし、最適記録パワーを決定し、決定された最適記録パワーでデータを記録し、データ記録による制御情報を、前記第１層と隣接する第２層に割り当てられた管理領域に記録する制御部と、を備え、前記第１層のテスト領域は、入射ビームに対して第２層の管理領域と物理的に同じ位置に配置されない装置が提供される。
【０００８】
上記の本発明の包括的な説明及び下記の詳細な説明はいずれも例示的なもので、単に本発明を説明するために提供されたものとして理解される。
【発明を実施するための最良の形態】
【０００９】
以下、添付の図面を参照しながら、本発明に係る記録媒体、該記録媒体にデータを記録する方法及び装置の好適な実施例について説明する。図面中、同一の構成要素には可能な限り同一の参照番号を付する。
【００１０】
下記に開示された大部分の用語は、本技術においてよく知られた一般の用語とした。ただし、一部の用語は必要に応じて出願人が選択したものもあり、その詳細については該当の部分で説明しておいた。したがって、本出願人によって定義された用語は、本発明の意味に基づいて理解することが好ましい。
【００１１】
本発明で“記録媒体”という用語は、様々な記録方式によってデータを保存できるあらゆる媒体を示す。記録媒体の代表には、ディスク及び磁気テープなどがある。
【００１２】
本発明の説明の便宜上且つより高い理解のために、以下では、本発明の記録媒体をＢＤ−Ｒなどのディスクとする。無論、本発明の技術的思想は、発明の思想及び範囲を逸脱しない限度内で他の記録媒体にも適用可能である。
【００１３】
例示的なテスト領域として働く“最適パワー制御（ＯＰＣ；ｏｐｔｉｍａｌ  ｐｏｗｅｒ  ｃｏｎｔｒｏｌ）領域”は、記録媒体のＯＰＣプロセスを行うように割り当てられる領域を意味する。“最適パワー制御（ＯＰＣ）”という用語は、記録可能なディスクにデータを記録する時に最適記録パワーを算出できるプロセスを意味する。
【００１４】
すなわち、ディスクが特定光記録再生装置に載せられると、光記録再生装置は、ディスクのＯＰＣ領域にデータを記録し、記録されたデータを再生するプロセスを繰り返し行ってディスクに適用可能な最適記録パワーを算出する。その後、光記録再生装置は、ディスクにデータを記録する時に、算出された記録パワーを使用する。したがって、ＯＰＣ領域は、記録可能なディスクに必要となる。
【００１５】
なお、臨時ディスク管理領域（ＴＤＭＡ;ｔｅｍｐｏｒａｒｙ  ｄｉｓｃ  ｍａｎａｇｅｍｅｎｔ  ａｒｅａ）は、管理領域の一つである。例えば、ＢＤ−Ｒは、現在ディスク使用状態（例えば、ディスク記録状態またはデータ記録再生プロセスによって生成された欠陥）を更新し、更新された情報を反映しなければならない。このため、ＴＤＭＡはディスク使用時間中に用いられる。ＴＤＭＡに含まれた制御情報は、ＴＤＭＡが記録された記録層及び他の記録層に関する情報を含む。
【００１６】
“複数層”という用語は、少なくとも２つの層を意味する。特に、複数層が２つの層のみを含む場合、この構成をデュアルレイヤーと呼ぶ。複数層は、それぞれの層ごとに異なる物理的特定を持つため、各層は固有のＯＰＣ領域をそれぞれ必要とする。
【００１７】
特に、本発明は、３つ以上の層で構成された複数層ディスクに効率的に適用可能である。この場合、上述のディスクに３つの層、すなわち、カバー層、スペーサ層、記録層が存在するが、本発明は、説明の便宜上、記録層に制限されると仮定し、記録層は単に層と略す。単一層ディスク及び複数層ディスクは、記録層の数によって相互に区別される。
【００１８】
以下、添付の図面を参照しつつ、記録媒体と、該記録媒体にデータを記録する方法及び装置について説明する。
【００１９】
本発明は、複数層ディスクのインナー領域（ｉｎｎｅｒ  ａｒｅａ）に関する。例えば、Ｎ個の層がディスクに含まれている場合、これらの層は、光ビームの入射方向から最も遠い特定層を基準に、第１層（Ｌａｙｅｒ  ０“Ｌ０”）、第２層（Ｌａｙｅｒ  １“Ｌ１”）、…、Ｎ番目の層（Ｌａｙｅｒ  Ｎ−１“Ｌｎ−１”）の順に順次配列される。また、これらの層は光ビームの入射方向に最も近い特定層を基準に順次配列されても良く、本発明の範囲は、上述の例に限定されない。
【００２０】
ここで、ディスクに含まれる層の数は特定数に制限されることはないが、ディスク厚（ｔ）が１．２ｍｍに設定されることから、単一ディスクで許容可能な層の最大数は約８個となる。
【００２１】
ディスクの断面から見ると、ディスクのそれぞれの層（Ｌ０，Ｌ１，…、または、Ｌｎ−１）は、ディスクインナー領域（ｉｎｎｅｒ  ａｒｅａ）を基準に、インナー領域、データ領域及びアウター領域（ｏｕｔｅｒ  ａｒｅａ）に分類される。
【００２２】
インナー領域及びアウター領域のそれぞれに含まれた特定領域は、ディスク管理情報（ＤＭＩ；ｄｉｓｃ  ｍａｎａｇｅｍｅｎｔ  ｉｎｆｏｒｍａｔｉｏｎ）を記録する記録領域またはテスト領域として用いられる。データ領域は、実際の使用者データが記録される。
【００２３】
この場合、ディスク管理のためのスペア領域は、上述のデータ領域に含まれることができる。
【００２４】
本発明は、記録可能な記録媒体に関するもので、ＯＰＣ領域は、ディスクに含まれた全ての層のそれぞれに含まれる。また、隣接した層（または、隣り合う層）のＯＰＣ領域が、光ビームの進行方向を基準に物理的に同じ位置に配置されない。
【００２５】
すなわち、ＯＰＣプロセスを行うために、テスト用パワー値は、ハイ・パワー値からローパワー値までの範囲内でまたはその他の範囲で順次に用いられる。ＯＰＣ領域は、隣り合う層間の光ビーム進行方向を基準に物理的に同じ位置に配置されると、実際に用いられるＯＰＣ領域だけでなく、隣り合う層に含まれた他のＯＰＣ領域でビーム干渉が生じる可能性が増加する。
【００２６】
最適記録パワーを算出するというＯＰＣ領域の目的から、ビーム干渉の増加可能性は、最適記録パワーの算出に否定的な影響を与え得る。したがって、本発明では、ＯＰＣ領域の目的に応じてジグザグ構成されたＯＰＣ領域を含み、ＯＰＣ結果に影響を受けるＴＤＭＡ位置は、ＯＰＣ領域位置を考慮して設定すれば良い。
【００２７】
図１は、本発明によるデュアルレイヤーＢＤ−Ｒを示す図である。図２は、本発明によるデュアルレイヤーＢＤ−ＲＥを示す図である。
【００２８】
図１及び図２は、デュアルレイヤーディスクを示す。特に、図１及び図２を参照してディスクの各層の複数の領域のうち、ＢＤ−Ｒ及びＢＤ−ＲＥのそれぞれのインナー領域について説明する。
【００２９】
インナー領域について詳細に説明すると、次の通りである。インナー領域（ｉｎｎｅｒ  ａｒｅａ）は、ＰＩＣ（Ｐｅｒｍａｎｅｎｔ  Ｉｎｆｏｒｍａｔｉｏｎ  ＆  Ｃｏｎｔｒｏｌ  ｄａｔａ）領域及びＯＰＣプロセスを行うＯＰＣ領域を含む。ＰＩＣは、エンボシングされた高周波変調（ＨＦＭ；Ｈｉｇｈ  Ｆｒｅｑｕｅｎｃｙ  Ｍｏｄｕｌａｔｅｄ）信号で、ディスク管理情報を記録する。
【００３０】
なお、ＢＤ−Ｒは、ＯＰＣ領域に隣接した臨時ディスク管理領域（ＴＤＭＡ）をさらに含むが、ＢＤ−ＲＥは、ＯＰＣ領域付近に予備領域（ｒｅｓｅｒｖｅｄ  ａｒｅａ）を含む。
【００３１】
図１のＢＤ−Ｒのインナー領域（ｉｎｎｅｒ  ａｒｅａ）を参照すると、Ｌ０層内にはＰＩＣ領域、ＯＰＣ０領域及びＴＤＭＡ０領域が順次に含まれる。Ｌ１層には、ＯＰＣ１領域、ＴＤＭＡ１領域及び予備領域が含まれる。
【００３２】
図２のＢＤ−ＲＥのインナー領域を参照すると、Ｌ０には、ＰＩＣ領域、ＯＰＣ０領域及び予備領域が順次に含まれる。Ｌ１には、ＰＩＣ領域、予備領域及びＯＰＣ１領域が含まれる。
【００３３】
上述のように、図１のＢＤ−Ｒのインナー領域は、図２のＢＤ−ＲＥのインナー領域と相違している。ＢＤ−Ｒのインナー領域がＢＤ−ＲＥのインナー領域と異なる理由は、次の通りである。
【００３４】
第一に、ＢＤ−Ｒは、１回のみ書込み可能記録媒体の役割を果たし、データはＢＤ−Ｒに一度のみ記録される。すなわち、ＢＤ−ＲＥのディスク管理方式及び欠陥管理方式は、ＢＤ−Ｒのディスク管理方式及び欠陥管理方式と異なっている。
【００３５】
該ディスク管理方式と関連して、ＢＤ−ＲＥのインナー領域はＴＤＭＡを含む必要がないが、ＢＤ−Ｒのインナー領域は、データ記録プロセスに必要なディスク管理のためのＴＤＭＡを含む必要がある。したがって、ＴＤＭＡが割り当てられたＢＤ−Ｒのインナー領域は、ＴＤＭＡが割り当てられていないＢＤ−ＲＥとは違う。
【００３６】
第二に、ＯＰＣ領域は、インナー領域に割り当てられる。具体的に、ＢＤ−ＲＥは、ＯＰＣ領域のＯＰＣ結果に影響を受けるデータが記録された特定領域（例：ＴＤＭＡ）を含まないため、ＢＤ−ＲＥには問題が生じない。
【００３７】
これに対し、ＢＤ−Ｒは、ＯＰＣ結果に影響を受けるＴＤＭＡを含むため、各層に含まれたＴＤＭＡ及びＯＰＣ領域は異なる位置に割り当てられ、ＴＤＭＡ及びＯＰＣ領域の配列によって発生する否定的な影響の発生を防止するようにする。結果として、ＢＤ−ＲＥのインナー領域は、ＢＤ−Ｒのインナー領域と異なるように設計されなければならない。
【００３８】
したがって、本発明は、複数層ディスク内の隣り合う層のＯＰＣ結果によってＴＤＭＡに保存されたデータが損傷するのを防止するような改善されたインナー領域構造を提供し、ディスクの効率的な使用を可能にする。
【００３９】
図２に示すＢＤ−ＲＥの層（Ｌ０及びＬ１）のインナー領域構造を参照すると、一つ以上のＯＰＣ領域が各層に含まれ、ＯＰＣ０及びＯＰＣ１領域が入射ビームに対して物理的に異なる位置に配置される。その結果、ＯＰＣ０領域及びＯＰＣ１領域間のＯＰＣ結果、すなわち、ハイ・パワー記録効果が隣り合う層に影響を与えなくなる。
【００４０】
図１に示すＢＤ−ＲのＬ０層及びＬ１層のインナー領域構造を参照すると、Ｌ１層のＯＰＣ１領域は、入射ビームに対してＬ０層のＰＩＣ領域と同じ位置に配置される。この場合、ＰＩＣ領域にデータが記録されず、ＰＩＣ領域がウオッブル（ｗｏｂｂｌ）形態に構成されるので、ＰＩＣ領域はＬ１層のＯＰＣ領域のＯＰＣ結果に影響を受けない。
【００４１】
ディスク管理情報及び他のデータを記録するＴＤＭＡは、入射ビームに対してＬ０層のＯＰＣ０領域と同じ位置に配置されるので、ＯＰＣ０領域のＯＰＣ結果がＴＤＭＡ１に影響を与えることができる。
【００４２】
この状況は、ＯＰＣ結果が各層のＲＦ信号ジッタを不回避に劣化させる恐れがあるということを意味する。したがって、重要なＲＦフォーマットデータはＢＤ−Ｒの層に記録されない方が好ましい。
【００４３】
図１にはデュアルレイヤーディスクが開示されているが、単一ディスク（ＢＤ等）で許容可能な層の最大数は約“８”である。
【００４４】
以下、図３乃至図７を参照して、効率的なディスク利用を可能にするインナー領域構造について説明する。
【００４５】
本発明は、ＴＤＭＡデータがＯＰＣ結果によって損傷するのを防止するべく、ＯＰＣ領域及びＴＤＭＡを入射ビームに対して物理的に同じ位置に位置させないという点に特徴がある。
【００４６】
ＯＰＣ領域をＴＤＭＡと同じ位置にすると、ＯＰＣ結果はＴＤＭＡのデータに影響を与えるため、ディスク管理情報に予期せぬ欠陥が発生し、ディスクのデータ記録再生動作に問題を起こすということにつながる。
【００４７】
したがって、各層のＴＤＭＡとＯＰＣ領域は、入射ビームに対して物理的に同じ位置に配置されてはいけない。この場合、各層の各ＴＤＭＡは同じ位置に配置する必要はない。ただし、説明の便宜上、各層の各ＴＤＭＡは同じ位置とする。
【００４８】
図３は、本発明の第１実施例によるディスクインナー領域（ｉｎｎｅｒ  ａｒｅａ）を示す構造図である。図３には、デュアルレイヤーディスクを示した。図３からわかるように、Ｌ０層のインナー領域は、ディスクインナー領域を基準にして順に配置されたＰＩＣ領域、ＯＰＣ０領域及びＴＤＭＡ０領域を含む。Ｌ１層のインナー領域は、ディスクインナー領域を基準にして順に配置されたＯＰＣ１領域、予備領域及びＴＤＭＡ１を含む。
【００４９】
Ｌ１層のインナー領域中のＯＰＣ１領域のＯＰＣ結果は、Ｌ０層のＰＩＣ領域にほとんど影響を与えない。
【００５０】
しかし、Ｌ０層のインナー領域中のＯＰＣ０領域のＯＰＣ結果は、Ｌ１層のＴＤＭＡ１に影響を与えることができる。したがって、本発明のディスクは、入射ビームに対して物理的にＯＰＣ０領域と同じ位置に配置されないＴＤＭＡを含む。このため、ＴＤＭＡ１の代わりに、予備領域が入射ビームに対してＯＰＣ０領域と物理的に同じ位置に配置される。予備領域にはデータが記録されていないので、ディスクがＯＰＣ結果によって影響を受けることがない。
【００５１】
したがって、本発明によるインナー領域構造（図３参照）では、Ｌ０層及びＬ１層のＴＤＭＡ０及びＴＤＭＡ１は入射ビームに対して物理的に同じ位置に配置され、予備領域は入射ビームに対してＯＰＣ領域と物理的に同じ位置に配置される。
【００５２】
図４は、本発明の好ましい第２実施例によるディスクインナー領域を示す構造図である。図４の構成は、図３の概念を拡張したものである。図４は、４個の層からなるディスクのインナー領域構造を例示したものである。
【００５３】
図４のインナー領域構造を参照すると、Ｌ０層及びＬ１層は、図３のデュアルレイヤーディスクと同じインナー領域を持つ。また、Ｌ２層及びＬ３層は、Ｌ０層及びＬ１層と同一である。図４の構造は、図３のデュアルレイヤーディスクのインナー領域を繰り返すことによって形成される。
【００５４】
したがって、Ｌ０層のインナー領域は、順次配置されたＰＩＣ領域、ＯＰＣ０領域及びＴＤＭＡ０を含む。Ｌ１層のインナー領域は、順次配置されたＯＰＣ１領域、予備領域及びＴＤＭＡ１を含む。Ｌ２層のインナー領域は、順次配置されたＰＩＣ領域、ＯＰＣ２領域及びＴＤＭＡ２を含む。Ｌ３層のインナー領域は、順次配置されたＯＰＣ３領域、予備領域及びＴＤＭＡ３を含む。
【００５５】
この場合、Ｌ０層のＰＩＣ領域及びＬ２層のＰＩＣ領域はウオッブル形態にエンボシングされているため、ＯＰＣ１領域のＯＰＣ結果及びＯＰＣ３領域のＯＰＣ結果は、ディスクにほとんど影響を与えない。
【００５６】
しかし、Ｌ０層のＯＰＣ０領域のＯＰＣ結果及びＬ２層のＯＰＣ２のＯＰＣ結果は、入射ビームに対して同じ位置に配置されたそれぞれの隣り合う層に影響を与える。すなわち、ＯＰＣ０領域のＯＰＣ結果はＬ１層に影響を与え、ＯＰＣ２領域のＯＰＣ結果はＬ１層またはＬ３に影響を与える。
【００５７】
したがって、ＯＰＣ０領域及びＯＰＣ２領域のＯＰＣ結果による影響を最小化するために、ＴＤＭＡ１及びＴＤＭＡ３は、入射ビームに対してＯＰＣ０及びＯＰＣ２と物理的に同じ位置に配置せず、データを持たない予備領域をＯＰＣ０及びＯＰＣ２領域と物理的に同じ位置に配置する。これにより、ＯＰＣ結果の影響を最小化することが可能になる。
【００５８】
この場合、それぞれのＴＤＭＡが前述したように配列されると、図４に示す全てのインナー領域構造はＬ０層乃至Ｌ３層に拡張され、それぞれの層（Ｌ０層乃至Ｌ３層）のＴＤＭＡは光ビームに対して物理的に同じ位置に配置され、予備領域は入射ビームに対してＯＰＣ領域と物理的に同じ位置に配置されるので、ＯＰＣ領域及び予備領域がＬ０層乃至Ｌ３層に交互に配列される。これにより、ディスクはＯＰＣ領域のＯＰＣ結果に影響を受けず、ディスクはより効率的に使用可能になる。
【００５９】
図５は、本発明の好ましい第３実施例によるディスクインナー領域を示す構造図である。上述のように、単一ディスクには最大８層まで含まれることができる。図５は、単一ディスクに８層が含まれた場合のインナー領域構造を例示する図である。
【００６０】
具体的に、図５は、図３のデュアルレイヤーディスク及び図４の４層ディスクの拡張によって形成された８層ディスクの一例である。
【００６１】
図５のＬ０及びＬ１構造は、図３に示すデュアルレイヤーのインナー領域の構造と同一である。図５のＬ２及びＬ３構造は、図４のＬ０及びＬ１構造と同一である。具体的に、図５の構造は、図３のデュアルレイヤーのインナー領域を繰り返すことによって形成される。
【００６２】
したがって、Ｌ０層のインナー領域は、順次配置されたＰＩＣ領域、ＯＰＣ０領域及びＴＤＭＡ０を含む。Ｌ２層のインナー領域は、順次配置されたＰＩＣ領域、ＯＰＣ２領域及びＴＤＭＡ２を含む。Ｌ４層のインナー領域は、順次配置されたＰＩＣ領域、ＯＰＣ４領域及びＴＤＭＡ４を含む。Ｌ６層のインナー領域は、順次配置されたＰＩＣ領域、ＯＰＣ６領域及びＴＤＭＡ６を含む。Ｌ１層のインナー領域は、順次配置されたＯＰＣ１領域、予備領域及びＴＤＭＡ１を含む。Ｌ３層のインナー領域は、順次配置されたＯＰＣ３領域、予備領域及びＴＤＭＡ３を含む。Ｌ５層のインナー領域は、順次配置されたＯＰＣ５領域、予備領域及びＴＤＭＡ５を含む。Ｌ７層のインナー領域は、順次配置されたＯＰＣ７領域、予備領域及びＴＤＭＡ７を含む。
【００６３】
ＯＰＣ領域及びＴＤＭＡのアクセスシーケンスは、Ｌ０層からＬ７層までの範囲で順次に決定される。
【００６４】
図５のＬ０、Ｌ２、Ｌ４及びＬ６層に含まれたＰＩＣ領域は、Ｌ０、Ｌ２、Ｌ４及びＬ６層に隣接したＬ１、Ｌ３、Ｌ５及びＬ７層に含まれたＯＰＣ領域（すなわち、ＯＰＣ１、ＯＰＣ３、ＯＰＣ５及びＯＰＣ７領域）のＯＰＣ結果に影響を受けない。
【００６５】
しかし、各層のディスク管理情報を含むＴＤＭＡは、上述したＯＰＣ結果に影響を受ける。すなわち、Ｌ０層のＯＰＣ０領域のＯＰＣ結果は、Ｌ１層に影響を与え、Ｌ２層のＯＰＣ２領域は、層Ｌ１及びＬ３層に影響を与える。また、Ｌ４層のＯＰＣ４領域のＯＰＣ結果は、Ｌ３層及びＬ５層に影響を与え、Ｌ６層のＯＰＣ６領域のＯＰＣ結果は、Ｌ５層及びＬ７層に影響を与える。
【００６６】
上述のＯＰＣ結果によって隣接する層に与えられる否定的な影響を最小化するために、本発明のＯＰＣ領域は、入射ビームに対して物理的にＴＤＭＡと同じ位置に配置させない。
この場合、図５に示すディスクの各層のＴＤＭＡは、入射ビームに対して物理的に同じ位置に配置されることが好ましい。
【００６７】
ＯＰＣ結果に影響を受けるデータ記録領域の代わりに、予備領域が入射ビームに対してＯＰＣ２領域、ＯＰＣ４領域及びＯＰＣ６領域と物理的に同じ位置に配置されれば良い。
【００６８】
したがって、本発明による上記のインナー領域構造は、ＯＰＣ結果によって問題が生じるのを防止し、ディスクの効率を増加させることができる。
【００６９】
図６は、本発明の好ましい第４実施例によるディスクインナー領域を示す構造図であり、図７は、本発明の好ましい第５実施例によるディスクインナー領域を示す構造図である。
【００７０】
図６及び図７は、図３乃至図５に示すディスクを概念的且つ構造的に示す図である。図６は、４層ディスクのインナー領域構造の一例である。図７は、８層ディスクのインナー領域構造の一例である。
【００７１】
すなわち、図４及び図５のディスクに含まれた複数のＰＩＣ領域に保存されたデータユニットは互いに同一である。したがって、図６及び図７は、複数の層からなるディスクの初期層に含まれたＰＩＣ領域を除き、記録されていない領域（すなわち、データを記録可能な領域）で取り替えられたディスクインナー領域（例えば、バッファゾーン）の例を示す。
【００７２】
図６の構造は基本的に図４の構造と同一である。図６に示すように、Ｌ２層で、ＰＩＣ領域は、バッファゾーンで取り替えられる。
【００７３】
図７の構造は基本的に図５の構造と同一である。図７からわかるように、Ｌ２、Ｌ４及びＬ６層でＰＩＣ領域は、入射ビームに対してバッファゾーンで取り替えられる。
【００７４】
図３乃至図７の上述のディスクインナー領域構造は、本発明の様々な実施例を説明している。インナー領域構造が他の構造に変更されても、変更された構造は、ディスク管理情報を記録できるＴＤＭＡの存在によってＯＰＣ結果に影響を受けない。本発明の範囲と設計は、上述した例に限定されず、必要によって他の例に適用されても良い。
【００７５】
図８は、本発明による記録媒体にデータを記録する装置を示すブロック図である。
【００７６】
図８を参照すると、記録媒体にデータを記録する装置は、ディスクにデータを記録再生する記録再生部１０及びこの記録再生部１０を制御する制御器１２を備える。
【００７７】
記録再生部１０は、ピックアップ部１１、信号処理器１３、サーボ部１４、メモリ１５及びマイクロプロセッサ１６を備える。ピックアップ部１１は、データをディスクに直接記録する、または、ディスクに記録されたデータを読み取る。信号処理器１３は、ピックアップ部１１から読み取られた信号を受信し、受信した信号を所望の信号値に復元する、または、記録される信号を、ディスクに記録される他の信号に変調し、復元または変調された信号を転送する。サーボ部１４は、ピックアップ部１１の動作を制御し、ディスクから所望の信号を正確に読み取り、ディスクに信号を正確に記録する。メモリ１５は、管理情報だけでなく、データを一時的に保存する。マイクロプロセッサ１６は、これらの構成要素の全般的な動作を制御する。
【００７８】
このような記録再生部１０は、記録媒体のテスト領域でテストを行い、最適の記録パワーを算出し、算出された最適の記録パワーを用いてデータを記録する。
【００７９】
この記録再生部１０だけで構成された記録装置はドライバーと呼ばれ、通常、コンピュータの周辺装置として用いられる。
【００８０】
制御器１２は、各構成要素の動作を制御する。本発明において、制御器１２は使用者とインターフェースする使用者命令を参照してディスクにデータを記録再生可能な記録再生命令を記録再生部１０で転送する。
【００８１】
マイクロプロセッサ１６は、第１層のテスト領域で記録パワーと関連したテストを行い、最適記録パワーを算出し、算出された最適記録パワーを用いてデータを記録することによって、データ記録プロセスによる制御情報（例えば、ディスク管理情報）を、第１層と隣接する第２層に割り当てられた管理領域に記録するようにする。この場合、第１層のテスト領域は、入射ビームに対して物理的に第２層の管理領域と同じ位置に配置されない。
【００８２】
本発明において、制御器１２及びマイクロプロセッサ１６の機能は分離され、第１制御部及び第２制御部としてそれぞれ作動しても良く、制御器１２及びマイクロプロセッサ１６の機能は統合され、単一制御部として動作しても良い。
【００８３】
デコーダ１７は、制御器１２から制御信号を受信すると、ディスクから読み取った信号をデコーディングし、デコーディングされた信号を所望の情報に復元し、復元された信号を使用者に転送する。
【００８４】
エンコーダ１８は、制御器１２から制御信号を受信し、ディスクに所望の信号を記録し、受信した信号を特定フォーマットの信号（例えば、ＭＰＥＧ２トランスポートストリーム）に変換し、変換された特定フォーマット信号を信号プロセッサ１３に転送する。
【００８５】
以下、図９を参照して、図８に示す装置を用いて複数層記録媒体にデータを記録する方法について説明する。
【００８６】
図９は、本発明による記録媒体にデータを記録する方法を示すフローチャートである。図９を参照すると、複数層記録媒体にデータを記録するためにはまず、最適記録パワーを算出しなければならない。このため、Ｓ１０段階でＯＰＣ領域の記録パワーをテストし、最適記録パワーを決定する。
【００８７】
その後、Ｓ２０段階で、データ記録装置は、記録媒体の決定された最適記録パワーを用いてデータを記録する。
【００８８】
上述の記録媒体のデータ記録動作が始まると、データ記録装置は、当該決定された最適記録パワーで、記録プロセスによって生成されたディスク管理情報（ＤＭＩ）及び他のデータをＴＤＭＡに記録する。
【００８９】
この場合、各層のＯＰＣ領域は、入射ビームに対してＯＰＣ領域を含む層に隣接する隣の層のＴＤＭＡと物理的に同じ位置に配置されない。
【００９０】
例えば、８層記録媒体において、ＯＰＣ領域がＬ５層に存在し、Ｓ３０段階でＬ４及びＬ６層のＴＤＭＡは入射ビームに対してＬ５層のＯＰＣ領域と物理的に同じ位置に配置されないため、Ｌ４及びＬ６層のＴＤＭＡは、ＯＰＣ領域によって実行されたＯＰＣ結果に影響を受けない。
【００９１】
以上の説明から分かるように、本発明による記録媒体と、該記録媒体にデータを記録する方法及び装置は、最近開発された複数層ＢＤを製造する方法に適用され、ディスクへのデータのより効率的な記録再生を可能にする。
【産業上の利用可能性】
【００９２】
本発明の思想及び範囲を逸脱しない限度内で様々な変形が可能であるということは当業者にとっては自明である。したがって、本発明は、添付した特許請求の範囲及びこれと同等範囲内で提供されるいずれの変形も含む。
【図面の簡単な説明】
【００９３】
【図１】本発明によるデュアルレイヤーＢＤ−Ｒを示す図である。
【図２】本発明によるデュアルレイヤーＢＤ−ＲＥを示す図である。
【図３】本発明の好ましい第１実施例によるディスクのインナー領域（ｉｎｎｅｒ  ａｒｅａ）を示す構造図である。
【図４】本発明の好ましい第２実施例によるディスクインナー領域を示す構造図である。
【図５】本発明の好ましい第３実施例によるディスクインナー領域を示す構造図である。
【図６】本発明の好ましい第４実施例によるディスクインナー領域を示す構造図である。
【図７】本発明の好ましい第５実施例によるディスクインナー領域を示す構造図である。
【図８】本発明による記録媒体にデータを記録する装置を示すブロック図である。
【図９】本発明による記録媒体にデータを記録する方法を示すフローチャートである。
【図１】
2009514127.tif 000003
【図２】
2009514127.tif 000004
【図３】
2009514127.tif 000005
【図４】
2009514127.tif 000006
【図５】
2009514127.tif 000007
【図６】
2009514127.tif 000008
【図７】
2009514127.tif 000009
【図８】
2009514127.tif 000010
【図９】
2009514127.tif 000011
【国際調査報告】
2009514127.tif 000012
2009514127.tif 000013